(57)【要約】【課題】越流水の落下による滴下音の発生を少なくすることのできる可動トラップ式水洗便器を提供する。【解決手段】可動トラップ式水洗便器１は、便器本体１０のボウル１１の排水路１２に後続して一端が接続され、他端の排水開口部３２が開口を上方に向けた状態で保持される給水姿勢と、下方に向けた状態で保持される排水姿勢との間で動作するトラップ部３０を有しており、給水姿勢のときに、ボウル１１内の水位Ｈ１が、排水路１２の入り口の上端縁１２ａよりも所定の封水確保寸法Ｌ１分高く、かつ、トラップ部３０内の水位が、排水開口部３２の開口の排出縁３２ａの高さよりも低く、ボウル１１とトラップ部３０とに同水位に貯水するようになっている。【選択図】図１
2016108848.tif 000002
【特許請求の範囲】
【請求項１】
便器本体のボウルの排水路に後続して一端が接続され、他端の排水開口部が開口を上方に向けた状態で保持される給水姿勢と、下方に向けた状態で保持される排水姿勢との間で動作するトラップ部を有した可動トラップ式水洗便器において、
前記給水姿勢のときに、前記ボウル内の水位が、前記排水路入り口の上端縁よりも所定の封水確保寸法分高く、かつ、前記トラップ部内の水位が、前記排水開口部の開口の排出縁の高さよりも低く、前記ボウルと前記トラップ部とに同水位に貯水することを特徴とする可動トラップ式水洗便器。
【請求項２】
請求項１において、
前記排水路と前記トラップ部とは、前記排水路入り口の上端縁が前記トラップ部の前記一端側の上側内壁よりも低い位置となるように接続されている、可動トラップ式水洗便器。
【発明の詳細な説明】
【技術分野】
【０００１】
本発明は、トラップ部が動作して排水する構成となっている可動トラップ式水洗便器に関する。
【背景技術】
【０００２】
この種の可動トラップ式水洗便器は、ボウルの排水路に後続して一端が接続され、他端の排水開口部が開口を上方に向けた状態で保持される給水姿勢と、下方に向けた状態で保持される排水姿勢との間で動作するトラップ部を有している（たとえば、特許文献１参照）。
【０００３】
このような可動トラップ式水洗便器は、トラップ部の自由端である排水開口部が上向き状態（給水姿勢）にあるときにボウルに洗浄水が溜められ、排水開口部が下向き状態（排水姿勢）にあるときにボウルの汚水などが排水開口部より排出されるようになっている。
【０００４】
トラップ部が排水姿勢のときに排水開口部より排出された汚水などの排出水は、トラップ部が収納されるトラップ収納室の内底部に形成された排出路を通って外部排出口へと流れていくようになっている。
【０００５】
一方、トラップ部が給水姿勢のときには、排水開口部からの排水はないが、排水開口部の開口の排出縁からオーバーフローした水（越流水）が下方の内底部に滴下する場合がある。この越流水の滴下により、特に内底部に水溜りがあるときなどには音が生じることがあり、この音が漏水が発生したものと使用者に誤認させるおそれがあった。
【０００６】
このような滴下音の発生を防止するために、従来には特許文献１などで示すような種々の方策が採られていた。特許文献１の技術は、トラップ部の排水開口部からの越流水を２方に振り分けて小さな水滴にするものである。その他、開口の形状を変更して越流水をトラップ収納室の後壁に伝わせるようにした技術も提案されている。
【先行技術文献】
【特許文献】
【０００７】
【特許文献１】特開２００８−２６７００３号公報
【発明の概要】
【発明が解決しようとする課題】
【０００８】
しかしながら、上記従来の方策はいずれのものも、トラップ部の排水開口部からの越流水をなるべく音をさせないように下方に誘導するものであるため、トラップ収納室の形状・寸法などの設計変更に迅速に対応できない場合がある。また、トラップ部の上下動の繰り返しによる停止位置の変動誤差にも対応できないおそれがある。つまり、設計変更などがあれば、音を発生させないように越流水を誘導することができない可能性がある。
【０００９】
このように、従来では、越流水が排水開口部からあふれ出るかぎり滴下音の発生を防止できない可能性があったため、給水姿勢のときに越流水が排水開口部からあふれ出ないようにする根本的な解決策が求められていた。
【００１０】
本発明は、このような事情を考慮して提案されたもので、その目的は、越流水の落下による滴下音の発生を少なくすることのできる可動トラップ式水洗便器を提供することにある。
【課題を解決するための手段】
【００１１】
上記目的を達成するために、本発明の可動トラップ式水洗便器は、便器本体のボウルの排水路に後続して一端が接続され、他端の排水開口部が開口を上方に向けた状態で保持される給水姿勢と、下方に向けた状態で保持される排水姿勢との間で動作するトラップ部を有した可動トラップ式水洗便器において、給水姿勢のときに、ボウル内の水位が、排水路入り口の上端縁よりも所定の封水確保寸法分高く、かつ、トラップ部内の水位が、排水開口部の開口の排出縁の高さよりも低く、ボウルとトラップ部とに同水位に貯水することを特徴とする。
【発明の効果】
【００１２】
本発明の可動トラップ式水洗便器によれば、上述の構成となっているため、越流水の落下による滴下音の発生を少なくすることができる。
【図面の簡単な説明】
【００１３】
【図１】本発明の一実施形態に係る可動トラップ式水洗便器の縦断面図である。
【図２】同実施形態に係る可動トラップ式水洗便器の説明図である。（ａ）は同水洗便器の給水姿勢における模式縦断面図、（ｂ）は同水洗便器の排水路の断面形状を示す拡大図である。
【図３】本発明の他の実施形態に係る可動トラップ式水洗便器の要部説明図である。
【図４】本発明のさらに他の実施形態に係る可動トラップ式水洗便器の要部説明図である。
【図５】本発明のさらに他の実施形態に係る可動トラップ式水洗便器の要部説明図である。
【発明を実施するための形態】
【００１４】
以下に、本発明の実施の形態について、添付図面をもとに説明する。まず、以下の複数の実施形態に係る可動トラップ式水洗便器１（以下、水洗便器１という）の基本構成について説明する。
【００１５】
以下の水洗便器１は、便器本体１０のボウル１１の排水路１２に後続して一端が接続され、他端の排水開口部３２が開口を上方に向けた状態で保持される給水姿勢と、下方に向けた状態で保持される排水姿勢との間で動作するトラップ部３０を有している。
【００１６】
この水洗便器１は、給水姿勢のときに、ボウル１１内の水位Ｈ１が排水路１２の入り口の上端縁１２ａよりも所定の封水確保寸法Ｌ１（図２参照）分高くボウル１１に貯水される。なおかつ、トラップ部３０内の水位Ｈ１が、排水開口部３２の開口の排出縁３２ａの高さよりも低くなるように、ボウル１１とトラップ部３０とに同水位Ｈ１に貯水される。
【００１７】
ついで、図１〜図４に示した水洗便器１の構成および特徴事項について詳細に説明する。
【００１８】
本水洗便器１は、図１に示すように、壁３に埋設された上下方向に延びる外部排水管２に対して横向き排水する壁排水型の洋風便器である。この外部排水管２は、マンションなどで上層階と下層階とで共用できるようになっている。なお以下では、人が水洗便器１に腰かけたときの背側（図１における右側）を「後ろ」、胸側（図１における左側）を「前」として説明する。
【００１９】
水洗便器１の便器本体１０は床４に設置、固定されている。また、便器本体１０の上面には開閉自在な蓋６が取り付けられている。
【００２０】
便器本体１０内には、洗浄水や汚水を貯留するボウル１１が設けてある。ボウル１１の上部の内周囲には、ボウル１１内に洗浄水を供給するためのリム１３が形成してある。また、ボウル１１の下部には、外部排水管２の方向に向かう横向き管状の排水路１２が形成してある。この排水路１２の基部（入り口）における上端縁１２ａがトラップ部３０の一端側（接続開口部３１）の上側内壁（の高さ位置（以下同様））３１ａよりも低い位置となるように、両者は接続されている。これについては詳細に後述する。
【００２１】
また、便器本体１０内には、排水路１２に後続するトラップ収納室２０が設けてある。このトラップ収納室２０内には、ボウル１１の排水路１２に接続された可撓性のトラップ部３０が設けてある。トラップ部３０としては、図１に示すように、たとえば蛇腹状のホースで形成されたものを使用することができる。このトラップ収納室２０は、トラップ部３０を取り囲み、トラップ部３０から排出される排出水を内底部２１で受け止めて外部へ排出する構成となっている。このように、トラップ収納室２０はトラップ部３０およびそこから排出される排出水を取り囲んでいるため、外部へのにおいの拡散を防止する役割も担っている。
【００２２】
トラップ部３０は、トラップ収納室２０内において、ボウル１１の排水路１２に接続された接続開口部３１側を支点として、自由端である排水開口部３２が上向きとなる給水姿勢と、やや下方横向きとなる排水姿勢との間で上下回動されるように配されている。なお、図１には、給水姿勢のときのトラップ部３０を実線で図示し、排水姿勢のときのトラップ部３０を２点鎖線で図示した。
【００２３】
図１に示すように、トラップ部３０の排水開口部３２の外周には支持リング３３が嵌め込まれている。この支持リング３３が、トラップ収納室２０の側壁部で回動自在に支持した回動軸３４のアーム３５に連結されている。そのアーム３５の回動動作にともない、支持リング３３が取り付けられたトラップ部３０の排水開口部３２が上下に回動されるようになっている。
【００２４】
このようなトラップ部３０の動作は、回動軸３４を電動モータ４１で駆動することによりなされる。また、ボウル１１のリム１３に洗浄水を供給する配管に電磁弁４２が設けてある。電動モータ４１および電磁弁４２は制御装置４３によって制御される。
【００２５】
このように電動モータ４１などを含んで構成された駆動機構は、つぎのような動作をなす。すなわち、用便後に洗浄操作がなされた時には、電磁弁４２が開弁されてリム１３からボウル１１内に洗浄水が供給され、その後に電動モータ４１が正転されてトラップ部３０が排水姿勢に下回動される。また、洗浄操作の所定時間後に、電動モータ４１が逆転されてトラップ部３０が給水姿勢に上回動され、その後に電磁弁４２が閉弁してリム１３からボウル１１内への洗浄水の供給が停止される。
【００２６】
トラップ部３０が上位置（給水姿勢）にあるときには封水状態となり、図１の破線で示すように、トラップ部３０内にも、ボウル１１内とほぼ同レベルの水位Ｈ１となるように洗浄水が貯留される。この水位Ｈ１は、封水を確実なものとするために、排水路１２の入り口の上端縁１２ａの高さ位置よりも所定の封水確保寸法Ｌ１（図２参照。通例では５０ｍｍ）分、高くなるように設定されている。そして、それに応じた水量の洗浄水がボウル１１に供給されるようになっている。
【００２７】
この給水姿勢のときのトラップ部３０内の水位Ｈ１は、排水開口部３２の開口の排出縁３２ａよりも低くなっている。水位Ｈ１を排水開口部３２の開口の排出縁３２ａよりも低くするための本水洗便器１の構成については、排水路１２とトラップ部３０との接続関係とともに後述する。なお、図１等に２点鎖線で示した高さレベルＨ２は排出縁３２ａの高さレベルであり、従来の便器では封水確保寸法Ｌ２（図２（ａ）参照）の確保のために、レベルＨ２を封水の水位としていた。
【００２８】
トラップ収納室２０内には、前壁部２６と、後壁部と、両側壁部と、底部（内底部２１）と、天井部とより囲まれた、トラップ部３０を収納するための空間が形成されている。また、前壁部２６の下部には開口２４が設けてある。その開口２４を介して、トラップ収納室２０に収納されたトラップ部３０の接続開口部３１がボウル１１の排水路１２に接続されている。また、後壁部の下部には、外部排水管２に通じる外部排出口２５が開設してある。
【００２９】
前壁部２６から外部排出口２５までの内底部２１は、トラップ部３０から排出される排出水を外部へと誘導する排出路２３を構成している。その排出路２３は下流側が一段低くなった段差形状とされ、図１に示すように、段差壁２２を介して、前方には前方排出路２３ａ、後方には後方排出路２３ｂが形成してある。この後方排出路２３ｂが外部排出口２５へと通じている。
【００３０】
トラップ部３０が排水姿勢となっているとき、つまり自由端である排水開口部３２が下位置にあるときには、その排水開口部３２は後方排出路２３ｂの路面に接触または近接した状態にあり、その開口は下方を向く。排水姿勢においては、トラップ部３０はこのような状態になり、排水開口部３２からは汚水や洗浄水が排出路２３へと排出される。
【００３１】
そして、排水開口部３２より排出された排出水は、後方排出路２３ｂの傾斜面を伝い外部排出口２５を通って外部排水管２へとスムーズに排水される。本実施形態では特に、トラップ部３０が下回動されたときに、段差壁２２よりも下流側に位置する後方排出路２３ｂに排水開口部３２が落ち込むことで排水開口部３２の開口がより下方を向くため、排出水が排水開口部３２より流れやすくなっている。
【００３２】
ついで、図１および図２を参照しながら、排出路１２とトラップ部３０の接続構成および水位Ｈ１を排水開口部３２の開口の排出縁３２ａよりも低くするための構成、構造について説明する。
【００３３】
上述したように、本実施形態の水洗便器１では、ボウル１１の排水路１２の入り口の上端縁１２ａがトラップ部３０の上側内壁３１ａよりも低い位置となっている（図１、図２（ａ）参照）。図例のものは、排水路１２の下端縁１２ｂはトラップ部３０の接続開口部３１の下端縁３１ｂとほぼ合致しており、図２（ｂ）に示すように、排水路１２の断面形状が円の上部を切り取ったような略半円形状となっている。なお、図２（ｂ）において２点鎖線で示したものは従来の排水路１２の断面形状であり、その上端縁１２ａａはトラップ部３０の接続開口部３１の上側内壁３１ａとほぼ合致している。図２（ｂ）では、接続開口部３１の上側内壁３１ａの高さレベルをカッコ書き「（３１ａ）」で付記した。
【００３４】
このように相互に高さ寸法の異なる排水路１２とトラップ部３０とを下端縁１２ｂ、３１ｂ同士を合わせて接続するために、いずれか一方の接続口が相手の接続口のサイズに合わせる必要がある。本図例のものでは、排水路１２の接続口１２ｃがトラップ部３０の接続開口部３１の寸法に合わせてある。また、両部材をつなぐ別部材（接合調節具）を用いて接続するようにしてもよい。
【００３５】
このように接続することで、ボウル１１内の水位Ｈ１が排水路１２の入り口の上端縁１２ａよりも封水確保寸法Ｌ１分高く、かつ、トラップ部３０内の水位Ｈ１が排水開口部３２の開口の排出縁３２ａの高さのレベルＨ２よりも低くできる。なお、図２（ａ）におけるＬ２は、接続開口部３１の上側内壁３１ａ（従来の排水路の上端縁１２ａａ）からレベルＨ２まで寸法であり、封水確保寸法Ｌ１と一致する。
【００３６】
このように、トラップ部３０内の水位Ｈ１が、排水開口部３２の開口の排出縁３２ａの高さのレベルＨ２よりも低くなるので、給水姿勢のときに排出縁３２ａから水がオーバーフローする可能性が低くなる。その結果、排出縁３２ａからの越流水の落下による滴下音の発生の可能性も当然に低くなる。
【００３７】
また、封水の水位Ｈ１は従来の水位（レベルＨ２）よりも低位置であるため、ボウル１１内に供給する洗浄水の水量は従来のものよりも少なくて済み、洗浄水の節約化にも貢献できる。
【００３８】
さらに、本水洗便器１を従来のものと形状の面で比較すれば、排水路１２の形状が変更されただけである。そのため、トラップ部３０について形状を変更したり、トラップ部３０の動作を変更したりする必要がなく、わずかな設計変更だけで、越流水の滴下音の減少を実現することができる。
【００３９】
図１、図２に示した水洗便器１は、ボウル１１の排水路１２を扁平な形状とすることで、水位Ｈ１を下げることを実現したが、排水路１２とトラップ３０との接続を、図３（ａ）（ｂ）のようにすることでも実現することができる。すなわち、図３（ａ）（ｂ）のいずれのものも、排水路１２の管の高さ寸法を図２（ｂ）の実線で示したもののように小さくしなくてもよい（２点鎖線で示した従来の形状でよい）。
【００４０】
図３（ａ）の水洗便器１では、排水路１２がトラップ部３０の接続開口部３１よりも下方にずれるように、接合調節具４０が用いてある。また、図３（ｂ）の水洗便器１では、排水路１２自体がトラップ部３０の接続開口部３１に対して上昇傾斜した形状となっている。
【００４１】
こうして、図３（ａ）（ｂ）のいずれのものも、図１のものと同様に、排水路１２の入り口における上端縁１２ａがトラップ部３０の接続開口部３１の上側内壁３１ａよりも低くなるようにしてある。そのため、トラップ部３０は、ボウル１１に対してやや上方側に取り付けらることとなる。
【００４２】
このように、いずれのものも、トラップ部３０をボウル１１と比較して少し高くなるように両者が接続してあるため、水位Ｈ１を所定の封水確保寸法Ｌ１分高くなるように考慮したうえで、水位Ｈ１を排水開口部３２の排出縁３２ａよりも低くすることができる。また、いずれのものも、トラップ部３０の形状や給水姿勢の際のトラップ部３０の動作を変更しなくても、簡易に実施することができる。
【００４３】
以上のように、排水路１２のトラップ部３０への接続形態または排水路１２の形状を変更することで給水姿勢のときの水位Ｈ１の下げを実現したが、図４や図５のように、トラップ部３０側を変更して水位Ｈ１の下げを実現するようにしてもよい。もちろん、図１〜図３に示した方法と組み合わせて実施してもよい。図４、図５において、左側に本実施形態のトラップ部３０の状態を示し、右側に従来のトラップ部３０の状態を示した。
【００４４】
図４に示した水洗便器１は、給水姿勢のときのトラップ部３０を従来の場合よりもさらに上方に回動させて大きく曲げ、トラップ部３０の上向き角度θ１を従来の上向き角度θ１よりも大きくしてある。
【００４５】
このように、トラップ部３０をさらに上方に回動させることで排水開口部３２の位置が高くなる。よって、封水の水位Ｈ１が右側の水位Ｈ１と同じである限りは、その水位Ｈ１は排出縁３２ａの高さよりも寸法ｈ分低くなる。また、トラップ部３０をこのように大きく曲げることで排水開口部３２の開口面の角度θ２が小さくなり、開口面はより水平に近づき、それによっても排出縁３２ａが高くなる。なお、水位Ｈ１は、図４の右側の図のものと変わらないので当然に、排水路１２の上端縁１２ａよりも所定の封水確保寸法Ｌ１（図４では図示省略）分高くなるように確保される。
【００４６】
また、図５に示した水洗便器１は、トラップ部３０の形状を変更したものである。図５に示したものは、従来のものと比べると、トラップ部３０の上向き角度θ１は変わらないが、給水姿勢のときの排水開口部３２の位置（傾き）が異なっている。すなわち、この水洗便器１は、図５において２点鎖線で示したように、トラップ部３０が水平な状態にあるときには、排水開口部３２が傾斜状態にある。そのようにするために、トラップ部３０の排出縁３２ａを接続する部位が反対側の部位よりも符号Ａ分長く形成してある。
【００４７】
このように、トラップ部３０の排出縁３２ａ近傍の形状を変更することで、トラップ部３０の全長を長くしなくても、給水姿勢のときに排水開口部３２の排出縁３２ａの位置を高くすることができる。よって、封水量が右側のものと同じである限りは、その水位Ｈ１は排出縁３２ａの高さよりも寸法ｈ分低くなる。なお、水位Ｈ１は、図５の右側の図のものと変わらないので当然に、排水路１２の上端縁１２ａよりも所定の封水確保寸法Ｌ１（図５では図示省略）分高くなるように確保される。
【００４８】
以上に示した実施形態では、トラップ部３０の全長を長くすることなく、封水の水位Ｈ１を排出縁３２ａよりも低くするようにしたが、トラップ収納室２０の室内空間に余裕があれば、トラップ部３０の全長を長くすることで排出縁３２ａの位置を高くしてもよい。
【００４９】
以上の実施形態では壁排水型の水洗便器１を例示したが、床排出型の洋風便器にも適用が可能である。
【符号の説明】
【００５０】
１          水洗便器（可動トラップ式水洗便器）
１０        便器本体
１１        ボウル
１２      排水路
１２ａ    上端縁
３０      トラップ部
３１      接続開口部
３１ａ    上側内壁
３２      排水開口部
３２ａ    排出縁
Ｌ１、Ｌ２      封水確保寸法
Ｈ１      水位
【図１】
2016108848.tif 000003
【図２】
2016108848.tif 000004
【図３】
2016108848.tif 000005
【図４】
2016108848.tif 000006
【図５】
2016108848.tif 000007